(57)【特許請求の範囲】
【請求項１】
デジタル方式の放送信号を受信する第１受信部及び第２受信部と、
前記第２受信部が受信した前記放送信号に含まれる電子番組表情報を用いて、複数のチャンネルそれぞれが有する放送番組における第１分類及び該第１分類を細分した第２分類のジャンルを識別するジャンル識別部と、
前記第１分類と前記第２分類との間の類似関係を示す類似ジャンル情報を記憶した記憶部と、
前記記憶部に記憶された類似ジャンル情報及び前記ジャンル識別部が識別した前記ジャンルに基づいて、前記複数のチャンネルの中から、前記第１分類のジャンルが前記第１受信部による受信中チャンネルの放送番組の前記第１分類のジャンルと類似する放送番組を有するチャンネル、前記第２分類のジャンルが前記第１受信部による受信中チャンネルの放送番組の前記第２分類のジャンルと類似する放送番組を有するチャンネル、前記第１分類のジャンルが前記第１受信部による受信中チャンネルの放送番組の前記第２分類のジャンルと類似する放送番組を有するチャンネル、又は前記第２分類のジャンルが前記第１受信部による受信中チャンネルの放送番組の前記第１分類のジャンルと類似する放送番組を有するチャンネルを、切替対象チャンネルであると判定し、前記第１受信部による受信中チャンネルを前記切替対象チャンネルに切替える切替判定部と、
を備えることを特徴とするデジタル放送受信装置。
【請求項２】
前記切替判定部は、前記切替対象チャンネルが存在する場合、前記第１受信部による受信中チャンネルの放送番組が終了した後で、該受信中チャンネルを前記切替対象チャンネルに切替えることを特徴とする請求項１記載のデジタル放送受信装置。
【請求項３】
前記記憶部は、切替対象外ジャンルを示す情報を記憶し、
前記切替判定部は、前記切替対象チャンネルが存在しない場合、前記第１受信部による受信中チャンネルを、前記切替対象外ジャンルと異なる前記ジャンルの放送番組を有するチャンネルに切替える
ことを特徴とする請求項１記載のデジタル放送受信装置。
【請求項４】
前記記憶部は、切替対象外ジャンルを示す情報を記憶し、
前記切替判定部は、前記複数のチャンネルの中から前記切替対象外ジャンルと同じ前記ジャンルの放送番組のみを有するチャンネルを除外したうえで、前記第１受信部による受信中チャンネルの放送番組と同一又は類似する前記ジャンルの放送番組を有するチャンネルを判定して前記切替対象チャンネルとする
ことを特徴とする請求項１記載のデジタル放送受信装置。
【請求項５】
デジタル方式の放送信号を受信する第１受信部及び第２受信部と、
前記第２受信部が受信した前記放送信号に含まれる電子番組表情報を用いて、複数のチャンネルそれぞれが有する放送番組のジャンルを識別するジャンル識別部と、
前記ジャンル間の類似関係を示す類似ジャンル情報を記憶した記憶部と、
前記記憶部に記憶された類似ジャンル情報及び前記ジャンル識別部が識別した前記ジャンルに基づいて、前記複数のチャンネルの中から前記第１受信部による受信中チャンネルの放送番組と同一又は類似する前記ジャンルの放送番組を有するチャンネルを判定して切替対象チャンネルとし、前記第１受信部による受信中チャンネルを前記切替対象チャンネルに切替える切替判定部と、
車両の現在位置と前記電子番組表情報に含まれる地名に対応した位置との間の距離を示す距離情報を取得する距離情報取得部とを備え、
前記切替判定部は、前記第１受信部による受信中チャンネルを、複数の前記切替対象チャンネルのうち前記距離情報が示す前記距離がより短い放送番組を有する切替対象チャンネルに切替える
ことを特徴とする、前記車両に搭載されるデジタル放送受信装置。
【発明の詳細な説明】
【技術分野】
【０００１】
本発明は、デジタル放送受信装置に関するものであり、特に車両への持込あるいは車載に適したデジタル放送受信装置に関する。
【背景技術】
【０００２】
従来、デジタル方式のテレビ放送波を受信するデジタル放送受信装置が用いられている。車載用のデジタル放送受信装置においては、運転操作をスムーズにするために、できるだけユーザが操作することなくチャンネルを切替える技術が開発されている。これらの技術には、視聴中のチャンネルから、視聴中のチャンネルと同一ジャンルの放送番組を有するチャンネルに切替えるものも存在する（例えば、特許文献１参照）。
【先行技術文献】
【特許文献】
【０００３】
【特許文献１】特開２００７−３６８１５号公報
【発明の概要】
【発明が解決しようとする課題】
【０００４】
特許文献１のような従来のデジタル放送受信装置は、視聴中のチャンネルと同一ジャンルの放送番組を有するチャンネルが存在しない場合に、チャンネルを切替えることができない課題があった。また、ユーザが視聴したいジャンルの放送番組を有するチャンネルに切替える手法は開示されているが、ユーザが視聴を望まないジャンルを指定する手法は開示されていない。このため、ユーザが視聴したいジャンルの放送番組を有するチャンネルが存在しない場合、視聴を望まない放送番組のチャンネルに切替わる課題があった。
【０００５】
本発明は、上記のような課題を解決するためになされたものであり、視聴中のチャンネルと同一ジャンルの放送番組を有するチャンネルが存在しない場合でも、ユーザが視聴を望む可能性が高いジャンルの放送番組を有するチャンネルに切替えることができるデジタル放送受信装置を提供することを目的とする。
【課題を解決するための手段】
【０００６】
本発明のデジタル放送受信装置は、デジタル方式の放送信号を受信する第１受信部及び第２受信部と、第２受信部が受信した放送信号に含まれる電子番組表情報を用いて、複数のチャンネルそれぞれが有する放送番組のジャンルを識別するジャンル識別部と、ジャンル間の類似関係を示す類似ジャンル情報を記憶した記憶部と、類似ジャンル情報及びジャンル識別部が識別したジャンルに基づいて、複数のチャンネルの中から第１受信部による受信中チャンネルの放送番組と同一又は類似するジャンルの放送番組を有するチャンネルを判定して切替対象チャンネルとし、第１受信部による受信中チャンネルを切替対象チャンネルに切替える切替判定部と、を備えるものである。
【発明の効果】
【０００７】
本発明のデジタル放送受信装置は、デジタル方式の放送信号を受信する第１受信部及び第２受信部と、第２受信部が受信した放送信号に含まれる電子番組表情報を用いて、複数のチャンネルそれぞれが有する放送番組における第１分類及び該第１分類を細分した第２分類のジャンルを識別するジャンル識別部と、第１分類と第２分類との間の類似関係を示す類似ジャンル情報を記憶した記憶部と、記憶部に記憶された類似ジャンル情報及びジャンル識別部が識別したジャンルに基づいて、複数のチャンネルの中から、第１分類のジャンルが第１受信部による受信中チャンネルの放送番組の第１分類のジャンルと類似する放送番組を有するチャンネルを、第２分類のジャンルが第１受信部による受信中チャンネルの放送番組の第２分類のジャンルと類似する放送番組を有するチャンネルを、第１分類のジャンルが第１受信部による受信中チャンネルの放送番組の第２分類のジャンルと類似する放送番組を有するチャンネルを、又は第２分類のジャンルが第１受信部による受信中チャンネルの放送番組の第１分類のジャンルと類似する放送番組を有するチャンネルを、切替対象チャンネルであると判定し、第１受信部による受信中チャンネルを切替対象チャンネルに切替える切替判定部と、を備えるものである。
【図面の簡単な説明】
【０００８】
【図１】本発明の実施の形態１のデジタル放送受信装置の構成を示す説明図である。
【図２】放送番組のジャンルの一例を示す説明図である。
【図３】図１に示すデジタル放送受信装置の動作を示すフローチャートである。
【図４】図１に示すデジタル放送受信装置の他の動作を示すフローチャートである。
【図５】本発明の実施の形態２のデジタル放送受信装置の構成を示す説明図である。
【図６】図５に示すデジタル放送受信装置の動作を示すフローチャートである。
【図７】図５に示すデジタル放送受信装置の他の動作を示すフローチャートである。
【図８】本発明の実施の形態３のデジタル放送受信装置の構成を示す説明図である。
【図９】図８に示すデジタル放送受信装置の動作を示すフローチャートである。
【図１０】本発明の実施の形態３の他のデジタル放送受信装置の構成を示す説明図である。
【図１１】図１０に示すデジタル放送受信装置の動作を示すフローチャートである。
【発明を実施するための形態】
【０００９】
実施の形態１．
図１及び図２を参照して、本発明の実施の形態１のデジタル放送受信装置について説明する。
第１アンテナ１ａは、デジタル方式の放送信号を受信するものである。第１チューナ２ａは、第１アンテナ１ａが受信した放送信号のチャンネルを選局するものである。第１復調部３ａは、第１チューナ２ａが選局したチャンネルの放送信号を復調するものである。
【００１０】
第１ＰＩＤフィルタ４ａは、第１復調部３ａが復調した放送信号のトランスポートストリーム（Ｔｒａｎｓｐｏｒｔ  Ｓｔｒｅａｍ，ＴＳ）に含まれるパケット識別子（Ｐａｃｋｅｔ  ＩＤｅｎｔｉｆｉｃａｔｉｏｎ，ＰＩＤ）を参照するものである。第１ＰＩＤフィルタ４ａは、参照したＰＩＤに基づいて、ＴＳを構成する複数のパケットのうちＭＰＥＧ（Ｍｏｖｉｎｇ  Ｐｉｃｔｕｒｅ  Ｅｘｐｅｒｔｓ  Ｇｒｏｕｐ）形式の映像信号及び音声信号が格納されたパケットを選択的に出力するものである。
【００１１】
デスクランブラ５は、第１ＰＩＤフィルタ４ａが出力したパケットに格納された映像信号及び音声信号のスクランブルを解除するものである。ＭＰＥＧデコード部６は、デスクランブラ５がスクランブルを解除した映像信号及び音声信号を復号するものである。
【００１２】
出力部７は、ＭＰＥＧデコード部６が復号した映像信号及び音声信号を、映像及び音声として外部に出力するものである。出力部７は、例えば、車両に搭載したディスプレイ及びスピーカにより構成されている。ここで、出力部７は、デジタル放送受信装置に内蔵したディスプレイ及びスピーカでもよい。又は、出力部７は、車両に持ち込まれた携帯情報端末のディスプレイ及びスピーカでもよい。
【００１３】
また、第２アンテナ１ｂは、デジタル方式の放送信号を受信するものである。第２チューナ２ｂは、第２アンテナ１ｂが受信した放送信号のチャンネルを選局するものである。第２復調部３ｂは、第２チューナ２ｂが選局したチャンネルの放送信号を復調するものである。
【００１４】
第２ＰＩＤフィルタ４ｂは、第２復調部３ｂが復調した放送信号のＴＳに含まれるＰＩＤを参照するものである。第２ＰＩＤフィルタ４ｂは、参照したＰＩＤに基づいて、ＴＳを構成する複数のパケットのうち電子番組表（Ｅｌｅｃｔｒｉｃ  Ｐｒｏｇｒａｍ  Ｇｕｉｄｅ，ＥＰＧ）情報が格納されたパケットを選択的に出力するものである。
【００１５】
ＥＰＧ取得部８は、第２ＰＩＤフィルタ４ｂが出力したパケットからＥＰＧ情報を取得して、記憶部９に記憶するものである。ジャンル識別部１０は、記憶部９に記憶したＥＰＧ情報を用いて、各チャンネルの放送番組のジャンルを識別するものである。
【００１６】
ここで、図２に例示するように、ＥＰＧ情報には、放送番組の大分類（第１分類）のジャンルを示す情報と、各大分類を細分した中分類（第２分類）のジャンルを示す情報とが含まれている。ジャンル識別部１０は、各チャンネルの放送番組の大分類のジャンルと、中分類のジャンルとの両方を識別するようになっている。
【００１７】
また、記憶部９には、ジャンル間の類似関係を示す情報（以下「類似ジャンル情報」という）が予め記憶されている。例えば、図２に示す大分類のジャンルのうち、「ニュース／報道」と「情報／ワイドショー」とは類似するものとしている。大分類のジャンルのうち、「ドラマ」と「映画」と「劇場／公演」とは類似するものとしている。
【００１８】
また、類似ジャンル情報は、大分類と、この大分類と異なる大分類に含まれる中分類との間の類似関係を示している。例えば、大分類「スポーツ」と、大分類「ドキュメンタリー／教養」に含まれる中分類「スポーツ」とは類似するものとしている。大分類「アニメ／特撮」と、大分類「映画」に含まれる中分類「アニメ」とは類似するものとしている。
【００１９】
さらに、類似ジャンル情報は、大分類に含まれる中分類と、この大分類と異なる大分類に含まれる中分類との間の類似関係を示している。例えば、大分類「スポーツ」に含まれる中分類「モータースポーツ」と、大分類「趣味／教育」に含まれる中分類「車・オートバイ」とは類似するものとしている。大分類「音楽」に含まれる中分類「童謡・キッズ」と、大分類「趣味／教育」に含まれる中分類「幼児・小学生」とは類似するものとしている。
【００２０】
切替判定部１１は、記憶部９に記憶した類似ジャンル情報と、ジャンル識別部１０が識別した放送番組のジャンルとに基づいて、各チャンネルが切替対象のチャンネル（以下「切替対象チャンネル」という）であるか否かを判定するものである。また、切替判定部１１は、切替対象チャンネルを記憶部９に記憶するものである。さらに、切替判定部１１は、第１チューナ２ａが選局するチャンネルを切替対象チャンネルに切替えるものである。
【００２１】
第１アンテナ１ａ、第１チューナ２ａ、第１復調部３ａ、第１ＰＩＤフィルタ４ａ、デスクランブラ５及びＭＰＥＧデコード部６によって、第１受信部１２が構成されている。第２アンテナ１ｂ、第２チューナ２ｂ、第２復調部３ｂ、第２ＰＩＤフィルタ４ｂ及びＥＰＧ取得部８によって、第２受信部１３が構成されている。第１受信部１２、第２受信部１３、出力部７、記憶部９、ジャンル識別部１０及び切替判定部１１によって、デジタル放送受信装置１００が構成されている。
【００２２】
第１チューナ２ａ、第２チューナ２ｂ、第１復調部３ａ、第２復調部３ｂ、第１ＰＩＤフィルタ４ａ、第２ＰＩＤフィルタ４ｂ、デスクランブラ５、ＭＰＥＧデコード部６及びＥＰＧ取得部８は、ＣＰＵ（Ｃｅｎｔｒａｌ  Ｐｒｏｃｅｓｓｉｎｇ  Ｕｎｉｔ）又は専用の集積回路等で構成されている。記憶部９は、ＨＤＤ（Ｈａｒｄ  Ｄｉｓｋ  Ｄｒｉｖｅ）又は半導体メモリ等で構成されている。
【００２３】
次に、図３を参照して、デジタル放送受信装置１００の動作について、切替判定部１１の動作を中心に説明する。
ここで、デジタル放送受信装置１００は車両に搭載されており、この車両は走行中である。また、第１受信部は任意のチャンネル（以下「受信中チャンネル」という）のデジタル放送信号を受信しており、出力部７は受信中チャンネルの放送番組（以下「受信中番組」という）の映像及び音声を出力している。
【００２４】
まず、ステップＳＴ１にて、切替判定部１１は、第２受信部１３が受信可能な全てのチャンネルのうちいずれかのチャンネル（以下「チャンネルＡ」という）の放送番組の中に、受信中番組と中分類のジャンルが一致する放送番組があるか否かを判定する。ステップＳＴ１で中分類が一致する放送番組がない場合（ステップＳＴ１“ＮＯ”）、次いで、ステップＳＴ２にて、切替判定部１１は、チャンネルＡの放送番組の中に、受信中番組と大分類のジャンルが一致する放送番組があるか否かを判定する。
【００２５】
ステップＳＴ２で大分類が一致する放送番組がない場合（ステップＳＴ２“ＮＯ”）、次いで、ステップＳＴ３にて、切替判定部１１は、記憶部９に記憶した類似ジャンル情報を参照して、チャンネルＡの放送番組の中に、受信中番組とジャンルが類似する放送番組があるか否かを判定する。
すなわち、切替判定部１１は、記憶部９に記憶した大分類の間の類似関係を示す類似ジャンル情報を参照して、チャンネルＡの放送番組の中に、大分類のジャンルが受信中番組の大分類のジャンルと類似する放送番組があるか否かを判定する。
また、切替判定部１１は、記憶部９に記憶した大分類と中分類との間の類似関係を示す類似ジャンル情報を参照して、チャンネルＡの放送番組の中に、中分類のジャンルが受信中番組の大分類のジャンルと類似する放送番組があるか否かを判定する。同様に、切替判定部１１は、チャンネルＡの放送番組の中に、大分類のジャンルが受信中番組の中分類のジャンルと類似する放送番組があるか否かを判定する。
さらに、切替判定部１１は、記憶部９に記憶した中分類の間の類似関係を示す類似ジャンル情報を参照して、チャンネルＡの放送番組の中に、中分類のジャンルが受信中番組の中分類のジャンルと類似する放送番組があるか否かを判定する。
【００２６】
このとき、ステップＳＴ１〜ＳＴ３の判定処理では、チャンネルＡの放送番組のうち、受信中番組の終了時刻又は終了時刻の近傍の時刻に開始する放送番組を判定対象とするのが好ましい。
【００２７】
ステップＳＴ１で中分類が一致する放送番組がある場合（ステップＳＴ１“ＹＥＳ”）、ステップＳＴ２で大分類のジャンルが一致する放送番組がある場合（ステップＳＴ２“ＹＥＳ”）、又はステップＳＴ３でジャンルが類似する放送番組がある場合（ステップＳＴ３“ＹＥＳ”）、次いで、ステップＳＴ４にて、切替判定部１１はチャンネルＡを切替対象チャンネルとして記憶部９に記憶する。
【００２８】
ステップＳＴ３でジャンルが類似する放送番組がない場合（ステップＳＴ３“ＮＯ”）、又はステップＳＴ４でチャンネルＡを切替対象チャンネルとして記憶した場合、次いで、ステップＳＴ５にて、切替判定部１１は、全てのチャンネルの放送番組のジャンルを判定したか否かを判定する。放送番組のジャンルを判定していない未判定のチャンネル（以下「チャンネルＢ」という）がある場合（ステップＳＴ５“ＮＯ”）、次いで、ステップＳＴ６にて、切替判定部１１は、未判定のチャンネルＢを判定対象に設定する。次いで、切替判定部１１はステップＳＴ１の処理に戻る。
【００２９】
一方、全てのチャンネルに対して判定処理が終了しており、ステップＳＴ５で未判定のチャンネルが存在しない場合（ステップＳＴ５“ＹＥＳ”）、次いで、ステップＳＴ７にて、切替判定部１１は、記憶部９に切替対象チャンネルが記憶されているか否かを判定する。ステップＳＴ７で少なくとも１つの切替対象チャンネルが記憶部９に記憶されている場合（ステップＳＴ７“ＹＥＳ”）、次いで、ステップＳＴ８にて、切替判定部１１は、受信中番組が終了すると第１チューナ２ａのチャンネルをいずれかの切替対象チャンネルに切替える。
【００３０】
なお、ステップＳＴ８で、複数の切替対象チャンネルが記憶部９に記憶されている場合、切替判定部１１は、第１チューナ２ａのチャンネルを開始時刻が受信中番組の終了時刻に最も近い放送番組を有する切替対象チャンネルに切替えるものとしてもよい。
【００３１】
ステップＳＴ７で切替対象チャンネルが記憶部９に記憶されていない場合（ステップＳＴ７“ＮＯ”）、次いで、ステップＳＴ９にて、デジタル放送受信装置１００は受信中番組が終了すると電源をＯＦＦする。
【００３２】
なお、ステップＳＴ９で、デジタル放送受信装置１００が電源をＯＦＦするのに代えて、切替判定部１１が第１チューナ２ａのチャンネルを開始時刻が受信中番組の終了時刻に最も近い放送番組を有するチャンネルに切替えるものとしてもよい。また、デジタル放送受信装置１００が電源をＯＦＦせずにフローを終了し、第１チューナ２ａは受信中番組が終了した後も受信中チャンネルの受信を継続するものとしてもよい。
【００３３】
デジタル放送受信装置１００は、図３のフローチャートに示す処理を、車両の走行中に定期的に繰り返すか、又は現在時刻が受信中番組の終了時刻に近づいたタイミングで実行する。これにより、車両の移動に伴い放送信号の受信環境が変化しても、適切な切替対象チャンネルを判定することができる。
【００３４】
以上のように、この実施の形態１のデジタル放送受信装置１００は、第２受信部１３が受信した放送信号に含まれるＥＰＧ情報を用いて、複数のチャンネルそれぞれが有する放送番組のジャンルを識別するジャンル識別部１０を有している。また、ジャンル間の類似関係を示す類似ジャンル情報を記憶した記憶部９を有している。さらに、類似ジャンル情報及びジャンル識別部１０が識別したジャンルに基づいて、複数のチャンネルの中から第１受信部１２による受信中チャンネルの受信中番組と同一又は類似するジャンルの放送番組を有するチャンネルを判定して切替対象チャンネルとし、第１受信部１２による受信中チャンネルを切替対象チャンネルに切替える切替判定部１１を有している。
これにより、視聴中のチャンネルと同一ジャンルの放送番組を有するチャンネルが存在しない場合でも、受信中番組と類似のジャンル（すなわち、ユーザが視聴を望む可能性が高いジャンル）の放送番組を有するチャンネルに切替えることができる。
【００３５】
また、ジャンル識別部１０は、大分類及び大分類を細分した中分類のジャンルを識別するようになっている。これにより、切替対象チャンネルをより詳細なジャンル区分に基づいて判定することがきる。
【００３６】
また、記憶部９は大分類の間の類似関係を示す類似ジャンル情報を記憶している。切替判定部１１は、複数のチャンネルの中から、大分類のジャンルが第１受信部１２による受信中チャンネルの受信中番組の大分類のジャンルと類似する放送番組を有するチャンネルを、切替対象チャンネルであると判定するようになっている。これにより、受信中チャンネルから、受信中番組と大分類のジャンルが類似する放送番組を有するチャンネルに切替えることができる。
【００３７】
また、記憶部９は大分類と中分類との間の類似関係を示す類似ジャンル情報を記憶している。切替判定部１１は、複数のチャンネルの中から、大分類のジャンルが第１受信部１２による受信中チャンネルの受信中番組の中分類のジャンルと類似する放送番組を有するチャンネル、又は中分類のジャンルが第１受信部１２による受信中チャンネルの受信中番組の大分類のジャンルと類似する放送番組を有するチャンネルを、切替対象チャンネルであると判定するようになっている。これにより、受信中チャンネルから、大分類が受信中番組の中分類のジャンルと類似する放送番組を有するチャンネル、又は中分類が受信中番組の大分類のジャンルと類似する放送番組を有するチャンネルに切替えることができる。
【００３８】
また、記憶部９は中分類の間の類似関係を示す類似ジャンル情報を記憶している。切替判定部１１は、複数のチャンネルの中から、中分類のジャンルが第１受信部１２による受信中チャンネルの受信中番組の中分類のジャンルと類似する放送番組を有するチャンネルを、切替対象チャンネルであると判定するようになっている。これにより、受信中チャンネルから、受信中番組と中分類のジャンルが類似する放送番組を有するチャンネルに切替えることができる。
【００３９】
また、切替判定部１１は、切替対象チャンネルが存在する場合、第１受信部１２による受信中チャンネルの受信中番組が終了した後で、受信中チャンネルを切替対象チャンネルに切替えるようになっている。これにより、受信中番組が終了しても、ユーザは視聴を望む可能性が高いジャンルの放送番組を継続して視聴することができる。
【００４０】
なお、各チャンネルの放送番組のジャンルの判定処理の順番は、図３に示すステップＳＴ１〜ＳＴ３の順番に限定されるものではない。ここで、図４にフローチャートの変形例を示す。ステップＳＴ１で中分類が一致する放送番組がない場合（ステップＳＴ１“ＮＯ”）、次いで、ステップＳＴ２ａにて、切替判定部１１は、記憶部９に記憶した類似ジャンル情報を参照して、チャンネルＡの放送番組の中に、受信中番組とジャンルが類似する放送番組があるか否かを判定する。受信中番組とジャンルが類似する放送番組がない場合（ステップＳＴ２ａ“ＮＯ”）、次いで、ステップＳＴ３ａにて、切替判定部１１は、チャンネルＡの放送番組の中に、受信中番組と大分類のジャンルが一致する放送番組があるか否かを判定する。
【００４１】
図２に例示するように、１つの大分類には多様な中分類が含まれている。したがって、受信中番組と大分類が一致して中分類が異なる放送番組よりも、類似ジャンル情報に基づいて受信中番組とジャンルが類似すると判定された放送番組のほうが、実質的に受信中番組の内容に近い放送内容である場合がある。デジタル放送受信装置１００が図４に示すフローチャートのように動作することで、受信中番組と大分類が一致して中分類が異なる放送番組を有するチャンネルよりも、受信中番組とジャンルが類似する放送番組を有するチャンネルを優先して切替対象チャンネルとして判定することができる。
【００４２】
また、デジタル放送受信装置１００は、ユーザにより押下自在なボタンを設けた構成にしてもよい。その構成の場合、切替判定部１１は、ユーザによるボタンの押下を検知して、第１チューナ２ａのチャンネルを切替対象チャンネルから他の切替対象チャンネルに切替える動作を行う。これにより、複数の切替対象チャンネルが記憶部９に記憶されている場合に、ユーザはボタンを押下して切替対象チャンネルを切替えることで、簡単な操作で任意の切替対象チャンネルを選択することができる。
【００４３】
実施の形態２．
図５を参照して、ユーザが視聴を望まないジャンルを指定するようにしたデジタル放送受信装置について説明する。なお、図５において、図１に示す実施の形態１のデジタル放送受信装置１００と同様の構成部材には同一符号を付して説明を省略する。
【００４４】
入力部２０は、ユーザによる操作入力を受け付けるものである。入力部２０は、例えば、出力部７のディスプレイと一体のタッチパネルにより構成されている。又は、入力部２０は、出力部７のディスプレイに隣設されたハードキーにより構成されている。
【００４５】
ここで、記憶部９は、ユーザが入力部２０に入力した、視聴を望まない大分類又は中分類のジャンル（以下「切替対象外ジャンル」という）を示す情報を記憶するようになっている。切替判定部１１は、第１チューナ２ａが選局するチャンネルを、切替対象チャンネル、又は切替対象外ジャンルと異なるジャンルの放送番組を有するチャンネルのいずれかに切替えるようになっている。
【００４６】
次に、図６を参照して、このように構成されたデジタル放送受信装置１０１の動作について説明する。なお、図６において、図３に示すフローチャートと同様のステップには同一符号を付して説明を省略する。
【００４７】
ステップＳＴ７で記憶部９に切替対象チャンネルが記憶されていない場合（ステップＳＴ７“ＮＯ”）、次いで、ステップＳＴ２０にて、切替判定部１１は、切替対象外ジャンルと異なるジャンルの放送番組を有するチャンネルがあるか否かを判定する。切替対象外ジャンルと異なるジャンルの放送番組を有するチャンネルがある場合（ステップＳＴ２０“ＹＥＳ”）、次いで、ステップＳＴ２１にて、切替判定部１１は、受信中番組が終了すると、第１チューナ２ａのチャンネルを切替対象外ジャンルと異なるジャンルの放送番組を有するチャンネルに切替える。
【００４８】
ステップＳＴ２０で切替対象外ジャンルと異なるジャンルの放送番組を有するチャンネルがない場合（ステップＳＴ２０“ＮＯ”）、次いで、ステップＳＴ９にて、受信中番組が終了すると、デジタル放送受信装置１００は電源をＯＦＦする。
【００４９】
以上のように、この実施の形態２のデジタル放送受信装置１０１は、記憶部９が切替対象外ジャンルを示す情報を記憶するようになっている。切替判定部１１が、切替対象チャンネルが存在しない場合、第１受信部１２による受信中チャンネルを、切替対象外ジャンルと異なるジャンルの放送番組を有するチャンネルに切替えるようになっている。これにより、視聴を望まないジャンルをユーザが指定することで、受信中番組と同一ジャンルの放送番組を有するチャンネルがない場合でも、視聴を望まないジャンルの放送番組を有するチャンネルに切替わるのを防いで、より適切なチャンネルに切替えることができる。
【００５０】
なお、切替判定部１１は、複数のチャンネルの中から切替対象外ジャンルと同じジャンルの放送番組のみを有するチャンネルを除外したうえで、第１受信部１２による受信中チャンネルの放送番組と同一又は類似するジャンルの放送番組を有するチャンネルを判定して切替対象チャンネルとするものとしてもよい。その場合のフローチャートの例を図７に示す。まず、ステップＳＴ２０ａにて、切替判定部１１は、チャンネルＡの放送番組の中に、切替対象外ジャンルと異なるジャンルの放送番組があるか否かを判定する。切替対象外ジャンルと異なるジャンルの放送番組がある場合（ステップＳＴ２０ａ“ＹＥＳ”）、切替判定部１１はステップＳＴ１の処理に進む。一方、切替対象外ジャンルと異なるジャンルの放送番組がない場合（ステップＳＴ２０ａ“ＮＯ”）、切替判定部１１はステップＳＴ５の処理に進み、ジャンルを判定していない未判定のチャンネルＢを判定対象に設定する。
【００５１】
デジタル放送受信装置１０１が図７に示すフローチャートのように動作することで、切替対象外ジャンルと同じジャンルの放送番組のみを有するチャンネルを切替対象チャンネルから除外することができる。この結果、受信中チャンネルからユーザが視聴を望まないジャンルの放送番組を有するチャンネルに切替わるのを防いで、より適切なチャンネルに切替えることができる。
【００５２】
実施の形態３．
図８を参照して、ＥＰＧ情報に含まれる地名を参照して第１受信部のチャンネルを切替えるようにしたデジタル放送受信装置について説明する。なお、図８において、図１に示す実施の形態１のデジタル放送受信装置１００と同様の構成部材には同一符号を付して説明を省略する。
【００５３】
地名情報取得部３０は、記憶部９に記憶したＥＰＧ情報に含まれる各放送番組のタイトルなどを表す文字列から、地名を示す情報（以下「地名情報」という）を取得するものである。
【００５４】
距離情報取得部３１は、デジタル放送受信装置１０２が搭載された車両の現在位置と、地名情報取得部３０が取得した地名情報が示す地名に対応した位置との間の距離を示す情報（以下「距離情報」という）を取得するものである。距離情報取得部３１は、地名情報を図示しないナビゲーションユニットに送信して、ナビゲーションユニットから距離情報を取得するものとしてもよい。ナビゲーションユニットは、車両に搭載されたものでもよく、車両外に用意されたもの（例えば、サーバ等）でもよい。また、ナビゲーションユニットは、デジタル放送受信装置と一体の装置で構成したものでもよい。
【００５５】
ここで、切替判定部１１は、第１チューナ２ａが選局するチャンネルを、複数の切替対象チャンネルのうち距離情報が示す距離がより短い（すなわち、車両の現在位置により近い地名を含む）放送番組を有する切替対象チャンネルに切替えるようになっている。
【００５６】
次に、図９を参照して、このように構成されたデジタル放送受信装置１０２の動作について説明する。なお、図９において、図３に示すフローチャートと同様のステップには同一符号を付して説明を省略する。
【００５７】
ステップＳＴ７で切替対象チャンネルが記憶部９に記憶されている場合（ステップＳＴ７“ＹＥＳ”）、次いで、ステップＳＴ３０にて、切替判定部１１は、複数の切替対象チャンネルがあるか否かを判定する。記憶部９に記憶した切替対象チャンネルが１つのみである場合（ステップＳＴ３０“ＮＯ”）、次いで、ステップＳＴ３１にて、切替判定部１１は、受信中番組が終了すると、第１チューナ２ａのチャンネルを切替対象チャンネルに切替える。
【００５８】
一方、ステップＳＴ３０で複数の切替対象チャンネルが記憶部９に記憶されている場合（ステップＳＴ３０“ＹＥＳ”）、次いで、ステップＳＴ３２にて、切替判定部１１は、受信中番組が終了すると、第１チューナ２ａのチャンネルを、各切替対象チャンネルのうち距離情報が示す距離がより短い放送番組を有する切替対象チャンネルに切替える。
【００５９】
以上のように、この実施の形態３のデジタル放送受信装置１０２は、搭載された車両の現在位置とＥＰＧ情報に含まれる地名に対応した位置との間の距離を示す距離情報を取得する距離情報取得部３１を有している。切替判定部１１は、第１受信部１２による受信中チャンネルを、複数の切替対象チャンネルのうち距離情報が示す距離がより短い放送番組を有する切替対象チャンネルに切替えるようになっている。これにより、例えば中分類「グルメ・料理」などのジャンルの放送番組を有するチャンネルに切替える場合に、ユーザは現在位置から遠い地域に関する放送番組よりも現在位置に近い地域に関する放送番組（すなわち、ユーザが視聴を望む可能性が高い放送番組）を優先して視聴することができる。
【００６０】
なお、距離情報取得部３１は、受信中番組の放送終了時刻における車両の予測位置と、地名情報が示す地名に対応した位置との間の距離を示す距離情報を取得するものとしてもよい。これにより、車両の移動距離も考慮してチャンネルを切替えることができる。
【００６１】
また、図１０に示すように、実施の形態３のデジタル放送受信装置１０３に、実施の形態２と同様の入力部２０を追加してもよい。図１０に示したデジタル放送受信装置１０３の動作を、図１１のフローチャートに示す。図１１において、図９に示すフローチャートと同様のステップには同一符号を付して説明を省略する。ステップＳＴ７で記憶部９に切替対象チャンネルが記憶されていない場合（ステップＳＴ７“ＮＯ”）、次いで、ステップＳＴ２０にて、切替判定部１１は、切替対象外ジャンルと異なるジャンルの放送番組を有するチャンネルがあるか否かを判定する。切替対象外ジャンルと異なるジャンルの放送番組を有するチャンネルがある場合（ステップＳＴ２０“ＹＥＳ”）、次いで、ステップＳＴ２１にて、切替判定部１１は、受信中番組が終了すると、第１チューナ２ａのチャンネルを切替対象外ジャンルと異なるジャンルの放送番組を有するチャンネルに切替える。これにより、視聴を望まないジャンルをユーザが指定することで、受信中番組と同一ジャンルの放送番組を有するチャンネルがない場合でも、視聴を望まないジャンルの放送番組を有するチャンネルに切替わるのを防いで、より適切なチャンネルに切替えることができる。
【００６２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６３】
１ａ  第１アンテナ、１ｂ  第２アンテナ、２ａ  第１チューナ、２ｂ  第２チューナ、３ａ  第１復調部、３ｂ  第２復調部、４ａ  第１ＰＩＤフィルタ、４ｂ  第２ＰＩＤフィルタ、５  デスクランブラ、６  ＭＰＥＧデコード部、７  出力部、８  ＥＰＧ取得部、９  記憶部、１０  ジャンル識別部、１１  切替判定部、１２  第１受信部、１３  第２受信部、２０  入力部、３０  地名情報取得部、３１  距離情報取得部、１００，１０１，１０２，１０３  デジタル放送受信装置。
【図１】
0006385151.tif 000002
【図２】
0006385151.tif 000003
【図３】
0006385151.tif 000004
【図４】
0006385151.tif 000005
【図５】
0006385151.tif 000006
【図６】
0006385151.tif 000007
【図７】
0006385151.tif 000008
【図８】
0006385151.tif 000009
【図９】
0006385151.tif 000010
【図１０】
0006385151.tif 000011
【図１１】
0006385151.tif 000012